(57)【特許請求の範囲】
【請求項１】
１つのキーに対して、該キーが規定時間内押下されたか規定時間を超えて押下されたかを検出するキー操作検出手段と、
名前情報に対応して電話番号を登録した電話帳情報と、名前情報の行検索に用いるア行からワ行のインデックス情報を登録した行検索管理情報とを記憶する記憶手段と、
前記キー操作検出手段により前記キーが規定時間を超えて押下されたことが検出されると電話帳検索モードを設定し、前記電話帳情報から頭文字が前記インデックス情報中の所定の行に属する名前情報に対応する電話帳情報の検索を実行する制御手段と
を有することを特徴とする移動無線端末。
【請求項２】
前記制御手段は、前記電話帳検索モードの設定開始時、前記インデックス情報中のア行に属する名前情報に対応する電話番号の検索を実行する
ことを特徴とする請求項１記載の移動無線端末。
【請求項３】
前記制御手段により検索された電話番号を表示する表示手段と、
前記制御手段により検索された電話番号を前記表示手段に表示している状態で、通話を指示するキーが押下されると、該表示されている前記電話番号に基づき発呼する発呼制御手段とを有する
ことを特徴とする請求項１又は請求項２のいずれか１項記載の移動無線端末。
【請求項４】
第１キーと第２キーと、
前記第１と第２のキーに対して、該各キーが規定時間内押下されたか規定時間を超えて押下されたかを検出するキー操作検出手段と、
名前情報に対応して電話番号を登録した電話帳情報と、名前情報の行検索に用いるア行からワ行のインデックス情報を登録した行検索管理情報とを記憶する記憶手段と、
前記キー操作検出手段により前記第１または第２のキーが規定時間を超えて押下されたことが検出されると電話帳検索モードを設定し、前記電話帳情報から電話番号の検索を実行する制御手段と
を有し、
前記検索は、
前記キー操作検出手段により前記第１または第２のキーが規定時間を超えて押下されたことが検出されると、前記電話帳情報から頭文字が前記インデックス情報中の所定の行に属する名前情報に対応する電話帳情報を検索し、
前記キー操作検出手段により前記第１キーが規定時間を超えて押下されたことが検出されることにより前記電話帳検索が開始された後、前記キー操作検出手段により前記第１キーの操作が検出されると、前記電話帳情報中の複数の電話番号を前記名前情報順に検索し、
前記キー操作検出手段により前記第１キーが規定時間を超えて押下されたことが検出されることにより前記電話帳検索が開始された後、前記キー操作検出手段により前記第２キーの操作が検出されると、前記電話帳情報中の複数の電話番号の中から頭文字が前記所定の行とは異なる行に属する名前情報に対応する電話帳情報を検索する
ことを特徴とする移動無線端末。
【請求項５】
前記制御手段は、前記電話帳検索モードの設定開始時、前記インデックス情報中のア行に属する名前情報に対応する電話番号の検索を実行する
ことを特徴とする請求項４記載の移動無線端末。
【請求項６】
前記制御手段によって検索された情報を表示する表示手段と、
前記制御手段により検索された電話番号を前記表示手段に表示している状態で、通話を指示するキーが押下されると、該表示されている前記電話番号に基づき発呼する発呼制御手段とを有する
ことを特徴とする請求項４又は請求項５のいずれか１項記載の移動無線端末。
【発明の詳細な説明】
【技術分野】
【０００１】
本発明は、ＰＨＳ（Ｐｅｒｓｏｎａｌ  Ｈａｎｄｙｐｈｏｎｅ  Ｓｙｓｔｅｍ）移動端末等の移動無線端末に係わり、詳しくは、情報登録部に登録された複数の情報項目を高速に検索できるようにした移動無線端末に関する。
【背景技術】
【０００２】
例えば、ＰＨＳ移動端末等の移動無線端末の中には、複数の相手先の電話番号を電話帳として予め登録しておき、発呼に際しては、上記電話帳の中から所望の相手先の電話番号を検索し、該検索された電話番号に基づき当該相手先に発呼する機能を採用したものがある。
【０００３】
この場合における上記電話帳の検索方法としては、例えば、端末本体上に設けられた検索用のカーソルキーの操作に応じ、上記電話帳に登録されている電話番号を表示部上で１項目ずつ順次スクロールさせながら、目的の電話番号を見つけ出す方法が一般的である。
【０００４】
一方、今日では、移動無線端末の機能向上とともに、電話帳の記憶能力も著しく向上し、例えば、２００名分の電話番号を登録可能な仕様のものも実用化されている。こうした現状に対し、電話帳の項目項目（電話番号）を１項目ずつ検索していく従来一般的な検索方法では、検索時間が長くかかり、電話番号を検索した後、該電話番号を用いて発呼するという一連の動作が円滑に行えなかった。
【０００５】
なお、この種の装置における電話帳検索に関して、下記特許文献１には、電話帳ファイルの検索時に、発呼頻度の高い相手先の電話番号情報を優先的に表示させる技術が開示されている。
【特許文献１】特開平７−３２１９２６号公報
【発明の開示】
【発明が解決しようとする課題】
【０００６】
このように、上記従来装置では、電話帳などの情報登録部に登録された複数の情報項目を検索する場合、１項目ずつ順にあるいはその逆の順に検索する方法が一般的であったため、情報登録部内の情報項目が増えた場合、検索時間が長くかかり、この検索された情報項目を利用するサービスの円滑な運用に支障を来すという問題点があった。
【０００７】
本発明は上記問題点を解消し、キーが規定時間を超えて押下されたことを検出して電話帳検索モードを設定し、記憶手段に記憶された電話帳情報を高速に検索できる移動無線端末を提供することを目的とする。
【課題を解決するための手段】
【０００８】
上記目的を達成するために、請求項１記載の発明は、１つのキーに対して、該キーが規定時間内押下されたか規定時間を超えて押下されたかを検出するキー操作検出手段と、名前情報に対応して電話番号を登録した電話帳情報と、名前情報の行検索に用いるア行からワ行のインデックス情報を登録した行検索管理情報とを記憶する記憶手段と、前記キー操作検出手段により前記キーが規定時間を超えて押下されたことが検出されると電話帳検索モードを設定し、前記電話帳情報から頭文字が前記インデックス情報中の所定の行に属する名前情報に対応する電話帳情報の検索を実行する制御手段とを有することを特徴とする。
【０００９】
請求項２記載の発明は、上記請求項１記載の発明において、前記制御手段は、前記電話帳検索モードの設定開始時、前記インデックス情報中のア行に属する名前情報に対応する電話番号の検索を実行することを特徴とする。
【００１０】
請求項３記載の発明は、上記請求項１又は請求項２のいずれか１項記載の発明において、前記制御手段により検索された電話番号を表示する表示手段と、前記制御手段により検索された電話番号を前記表示手段に表示している状態で、通話を指示するキーが押下されると、該表示されている前記電話番号に基づき発呼する発呼制御手段とを有することを特徴とする。
【００１１】
請求項４記載の発明は、第１キーと第２キーと、前記第１と第２のキーに対して、該各キーが規定時間内押下されたか規定時間を超えて押下されたかを検出するキー操作検出手段と、名前情報に対応して電話番号を登録した電話帳情報と、名前情報の行検索に用いるア行からワ行のインデックス情報を登録した行検索管理情報とを記憶する記憶手段と、前記キー操作検出手段により前記第１または第２のキーが規定時間を超えて押下されたことが検出されると電話帳検索モードを設定し、前記電話帳情報から電話番号の検索を実行する制御手段とを有し、前記検索は、前記キー操作検出手段により前記第１または第２のキーが規定時間を超えて押下されたことが検出されると、前記電話帳情報から頭文字が前記インデックス情報中の所定の行に属する名前情報に対応する電話帳情報を検索し、前記キー操作検出手段により前記第１キーが規定時間を超えて押下されたことが検出されることにより前記電話帳検索が開始された後、前記キー操作検出手段により前記第１キーの操作が検出されると、前記電話帳情報中の複数の電話番号を前記名前情報順に検索し、前記キー操作検出手段により前記第１キーが規定時間を超えて押下されたことが検出されることにより前記電話帳検索が開始された後、前記キー操作検出手段により前記第２キーの操作が検出されると、前記電話帳情報中の複数の電話番号の中から頭文字が前記所定の行とは異なる行に属する名前情報に対応する電話帳情報を検索することを特徴とする。
【００１２】
請求項５記載の発明は、上記請求項４記載の発明において、前記制御手段は、前記電話帳検索モードの設定開始時、前記インデックス情報中のア行に属する名前情報に対応する電話番号の検索を実行することを特徴とする。
【００１３】
請求項６記載の発明は、上記請求項４又は請求項５のいずれか１項記載の発明において、前記制御手段によって検索された情報を表示する表示手段と、前記制御手段により検索された電話番号を前記表示手段に表示している状態で、通話を指示するキーが押下されると、該表示されている前記電話番号に基づき発呼する発呼制御手段とを有することを特徴とする。
【発明の効果】
【００１４】
本発明によれば、キーが押下されたときに、該キーが規定時間を超えて押下されたことが検出されると電話帳検索モードを設定し、検索を実行することにより、記憶手段に記憶された電話帳情報を高速に検索できる。
【発明を実施するための最良の形態】
【００１５】
以下、本発明の実施の形態について添付図面を参照して詳細に説明する。
【００１６】
図１は、本発明に係わるＰＨＳの移動局（ＰＳ）１００の全体構成を示すブロック図である。同図に示すように、この移動局ＰＳは、アンテナ１、無線部２、モデム部３、ＴＤＭＡ部４、通話部５、制御部６、マイクロフォン７、スピーカ８、サウンダ９、操作部１０、表示部１１、メモリ部１２、振動部１３を具備して構成される。
【００１７】
ここで、無線部２は、送信／受信系を時間的に切り換えるスイッチ（ＳＷ）２０１、アンテナ１から受信した無線周波数信号を周波数変換し、増幅して信号成分を取り出してモデム部３に出力する受信部２０２、モデム部３から入力される送信出力信号を搬送波にのせて、アンテナ１から送信する送信部２０３、発信器２０５の発信周波数から所要の周波数を得て受信部２０２及び送信部２０３に与えるシンセサイザ２０４から構成される。
【００１８】
モデム部３は、無線部２の受信部２０２から出力された中間周波数信号を復調して信号成分を取り出しＴＤＭＡ部４に出力する復調部３０１、ＴＤＭＡ部４から出力された送信信号を直交位相変調、例えば、π／４シフトＱＰＳＫ（Ｑｕａｄｒａｔｕｒｅ Ｐｈａｓｅ Ｓｈｉｆｔ Ｋｅｙｉｎｇ）の変調を行って、これを無線部２の送信部２０３に与える変調部３０２から構成される。
【００１９】
ＴＤＭＡ部４は、モデム部３の復調部３０１から出力されるＴＤＭＡ（時分割多元接続）通信方式による信号を、予め割り当てられたタイムスロットから取り出すＴＤＭＡデコード部４０１、通話部５でＰＣＭ変調されて出力された信号を、ＴＤＭＡ（時分割多元接続）通信方式による信号に予め割り当てられたタイムスロットに挿入してモデム部３の変調部３０２に出力するＴＤＭＡエンコード部４０２から構成される。
【００２０】
通話部５は、ＡＤＰＣＭトランスコーダ５０１とＰＣＭコーディック５０２とから構成され、制御部６の制御のもとに、マイクロフォン７からの音声信号をＴＤＭＡ部４に与え、また、ＴＤＭＡ部４からの復調されたＰＣＭ信号を音声信号に変換してスピーカ８に与えるものである。
【００２１】
制御部６は、送受信に必要な各種制御の他に、各構成要素の制御を司るものである。本発明の実施の形態において、制御部６には、キー操作態様検出部６０１、動作モード設定制御部６０２、発呼動作制御部６０３、検索動作制御部６０４が設けられる。
【００２２】
キー操作態様検出部６０１は、操作部１０に設けられる後述するクイック・ダイヤル・キーＰ１，Ｐ２，Ｐ３が規定時間内押下されたか、規定時間を超えて押下されたかについての２つのキー操作態様を各キー毎に検出するものである。
【００２３】
動作モード設定制御部６０２は、クイック・ダイヤル・キーＰ１，Ｐ２，Ｐ３が規定時間内押下されたか、規定時間を超えて押下されたかによって、当該押下された１つのキー毎に後述するクイックダイヤル発呼モードまたは電話帳検索モードを選択的に設定する制御を行うものである。
【００２４】
発呼動作制御部６０３は、動作モード設定制御部６０２により設定されるクイックダイヤル発呼モードにおける発呼の制御、及び電話帳検索モードによる電話帳検索後の発呼の制御を行うものである。
【００２５】
検索動作制御部６０４は、動作モード設定制御部６０２により設定される上記電話帳検索モードにおける検索動作の制御を行うものである。
【００２６】
マイクロフォン７は、送話音声信号を入力する送話器として機能するものであり、スピーカ８は、入力した受話音声信号を音声として発音する受話器として機能するものである。サウンダ９は、着信等をメロディなどによってユーザに報知するものである。
【００２７】
操作部１０は、複数の機能キー及びテンキー等を有し各種情報を入力するものである。本実施の形態において、後述するクイック・ダイヤル・キーＰ１，Ｐ２，Ｐ３、通話キー、リダイヤルキー、終話キー等もこの操作部１０に含まれる。
【００２８】
表示部１１は、各種情報を表示する液晶ディスプレイ等（ＬＣＤ）から構成される。メモリ部１２は、暗証番号や電話番号情報等、移動局ＰＳの動作に必要な各種情報を記憶するものである。特に、本実施の形態において、このメモリ部１２は、クイック・ダイヤル・キーＰ１，Ｐ２，Ｐ３のキー操作態様に応じて設定されるクイックダイヤル発呼モードまたは電話帳検索モードに対処するために、これら各キーに対応するワンタッチダイヤル情報及び検索対象の電話帳の記憶手段としても利用される。
【００２９】
振動部１３は、着信等を振動でユーザに報知するためのバイブレータ機能を有するものである。
【００３０】
次に、図２は、この移動局ＰＳの外観構造を示す図である。同図に示すように、移動局本体部１００ａの上面の構成要素して、ＬＣＤ１１ａ、通話キー１０ａ、リダイヤルキー１０ｂ、終話キー１０ｃ、クイック・ダイヤル・キーＰ１（１０ｄ），Ｐ２（１０ｅ），Ｐ３（１０ｆ）及びフリッパ１００ｂが備わる。
【００３１】
フリッパ１００ｂは、蓋状の形状を成し、移動局本体部１００ａに対して開閉可能に設けられる。上記クイック・ダイヤル・キーＰ１（１０ｄ），Ｐ２（１０ｅ），Ｐ３（１０ｆ）は、フリッパ１００ｂが閉じられている状態のまま操作できるように当該プリッパ１００ｂの上面に露出して形成されている。また、このフリッパ１００ｂを開けた時、移動局本体部１００ａ側に設けられているテンキー等の各種機能キーを操作できるようになっている。
【００３２】
この移動局ＰＳにおいて、クイック・ダイヤル・キーＰ１，Ｐ２，Ｐ３は、クイックダイヤル発呼を行うためのキーと、電話帳の検索を開始させるためのキーとに兼用される。特に、本実施の形態では、前者のキー機能を利用する場合は当該クイック・ダイヤル・キーＰ１，Ｐ２，Ｐ３を規定時間内だけ押下し、後者の機能キーを利用する場合は当該クイック・ダイヤル・キーＰ１，Ｐ２，Ｐ３を上記規定時間を超えて押下すれば良い。
【００３３】
上記クイック・ダイヤル・キーＰ１，Ｐ２，Ｐ３が押下されると、制御部６は、その押下時間が規定時間内か規定時間を超えているかを監視し、規定時間内であればクイックダイヤル発呼モードを設定し、規定時間を超えていれば電話帳検索モードを設定する。
【００３４】
クイックダイヤル発呼モードでは、クイック・ダイヤル・キーＰ１，Ｐ２，Ｐ３の各キー対応に登録されたクイックダイヤルを用いて発呼を行い、他方、電話帳検索モードではメモリ部１２内に登録されている電話帳の検索を行う。なお、この電話帳検索モードの終了後、当該モードで検索されたダイヤル情報（電話番号）を用いて発呼できるようになっている。
【００３５】
上記クイック・ダイヤル・キーＰ１，Ｐ２，Ｐ３の押下時間に応じたクイックダイヤル発呼モードまたは電話帳検索モードの設定制御に対処すべく、当該クイック・ダイヤル・キーＰ１，Ｐ２，Ｐ３の各キーに対応してクイックダイヤルが登録されると共に、検索対象の電話帳も登録されている。
【００３６】
図３は、この移動局ＰＳにおける上記クイックダイヤル発呼及び電話帳検索の制御に必要な制御情報の登録形態の一例を示すものである。同図（ａ）は、キー対応情報テーブル１２ａの内容を示し、クイック・ダイヤル・キーＰ１，Ｐ２，Ｐ３の各キーに対応する情報として、それぞれのキー操作によるクイックダイヤル発呼に用いるためのクイック・ダイヤル１，２，３が登録されている。また、同図（ｂ）は電話帳登録テーブル１２ｂの内容を示し、例えば登録番号１乃至２００に対応して各相手先の氏名及び電話番号を登録している。また、同図（ｃ）は、本実施の形態に係わる電話帳検索モードでサポートされる高速検索モードの１つである行飛ばし検索に用いる行検索管理テーブル１２ｃの内容を示し、後述する行検索カウンタｎの値に対応するインデックス情報として、ア行乃至ワ行の各行が登録されている。上記キー対応情報テーブル１２ａ、電話帳登録テーブル１２ｂ及び行検索管理テーブル１２ｃは、例えばメモリ部１２内に設けることができる。
【００３７】
以下、本実施の形態に係わる移動局ＰＳにおける待ち受け動作からのキー入力受付処理動作の一例を図４に示すフローチャートを参照して説明する。この移動局ＰＳが待ち受け動作を行っている時、制御部６内のキー操作態様検出部６０１は、操作部１０においてキーが押下されたか否かを監視している（ステップ４０１）。
【００３８】
ここで、キーが押下された場合（ステップ４０１ＹＥＳ）、キー操作態様検出部６０１は、その押下されたキーがクイック・ダイヤル・キーＰ１，Ｐ２，Ｐ３のうちのＰ１キーであるか、Ｐ２キーであるか、Ｐ３キーであるかを判定する（ステップ４０２、ステップ４１０、ステップ４２０）。
【００３９】
押下されたキーがＰ１キーである時（ステップ４０２ＹＥＳ）、制御部６は、当該Ｐ１キーに対応して登録されているクイックダイヤル１をメモリ部１２のキー対応情報テーブル１２ａ〔図３（ａ）参照〕から読み出し、これをＬＣＤ１１ａに表示する（ステップ４０３）。
【００４０】
これと同時に、キー操作態様検出部６０１は、キー押下タイマＴのカウントを開始する（ステップ４０４）。次に、キー操作態様検出部６０１は、キーの押下が終了したかどうかを監視し（ステップ４０５）、キーが押下されている間（ステップ４０５ＮＯ）は、上記キー押下タイマＴのカウントを継続する。この間、キー押下が終了した場合（ステップ４０５ＹＥＳ）、次にキー操作態様検出部６０１は、その時点のキー押下タイマＴのカウント値を基にキー押下時間が例えば２秒以上であるか否かを判定する（ステップ４０６）。
【００４１】
そして、この判定結果を基に、動作モード設定制御部６０２は、キー押下時間が２秒より短い場合（ステップ４０６ＮＯ）、クイックダイヤル発呼モードを設定し（ステップ４０７）、他方、キー押下時間が２秒以上であれば（ステップ４０６ＹＥＳ）、電話帳検索モードを設定する（ステップ４０８）。
【００４２】
同様に、押下されたキーがＰ２キーである時（ステップ４１０ＹＥＳ）、制御部６は、当該Ｐ２キーに対応して登録されているクイックダイヤル２をメモリ部１２のキー対応情報テーブル１２ａから読み出し、これをＬＣＤ１１ａに表示する（ステップ４１１）。
【００４３】
これと同時に、キー操作態様検出部６０１は、キー押タイマＴのカウントを開始する（ステップ４１２）。次に、キー操作態様検出部６０１は、キーの押下が終了したかどうかを監視し（ステップ４１３）、キーが押下されている間（ステップ４１３ＮＯ）は、上記キー押下タイマＴのカウントを継続する。この間、キー押下が終了した場合（ステップ４１３ＹＥＳ）、次にキー操作態様検出部６０１は、キー押下タイマＴのカウント値を基にキー押下時間が例えば２秒以上であるかどうかを判定する（ステップ４１４）。
【００４４】
そして、この判定結果を基に、動作モード設定制御部６０２は、キー押下時間が２秒より短い場合（ステップ４１４ＮＯ）は、クイックダイヤル発呼モードを設定し（ステップ４１５）、他方、キー押下時間が２秒以上であれば（ステップ４１４ＹＥＳ）、電話帳検索モードを設定する（ステップ４０８）。
【００４５】
更に、押下されたキーがＰ３キーである時（ステップ４２０ＹＥＳ）、制御部６は、当該Ｐ３キーに対応して登録されているクイックダイヤル３をメモリ部１２のキー対応情報テーブル１２ａから読み出し、これをＬＣＤ１１ａに表示する（ステップ４２１）。
【００４６】
これと同時に、キー操作態様検出部６０１は、キー押下タイマＴのカウントを開始する（ステップ４２２）。次に、キー操作態様検出部６０１は、キーの押下が終了したかどうかを監視し（ステップ４２３）、キーが押下されている間（ステップ４２３ＮＯ）は、上記キー押下タイマＴのカウントを継続する。この間、キー押下が終了した場合（ステップ４２３ＹＥＳ）、次にキー操作態様検出部６０１は、キー押下タイマＴのカウント値を基に、キー押下時間が例えば２秒以上であるかどうかを判定する（ステップ４２４）。
【００４７】
そして、この判定結果を基に、動作モード設定制御部６０２は、キー押下時間が２秒より短い場合（ステップ４２４ＮＯ）は、クイックダイヤル発呼モードを設定し（ステップ４２５）、他方、キー押下時間が２秒以上であれば（ステップ４２４ＹＥＳ）、電話帳検索モードを設定する（ステップ４０８）。なお、押下されたキーがクイック・ダイヤル・キーＰ１，Ｐ２，Ｐ３のいずれでもない場合（ステップ４０２→ＮＯステップ４１０ＮＯ→ステップ４２０ＮＯ）は、当該押下されたキーに対応する別の処理動作（ステップ４３０）を行う。
【００４８】
次に、動作モード設定制御部６０２により設定された動作モードのうち、クイックダイヤル発呼モードの処理動作について図５に示すフローチャートを参照して説明する。クイック・ダイヤル・キーＰ１，Ｐ２，Ｐ３のいずれかの押下によりクイックダイヤル発呼モードが設定された場合（図４におけるステップ４０７、ステップ４１５、ステップ４２５）、次に、キー操作態様検出部６０１は、操作部１０における各種機能キーの中の通話キー１０ａ〔図２参照〕が押下されたか否かを監視する（ステップ５０１）。ここで、通話キー１０ａが押下された場合（ステップ５０１ＹＥＳ）、発呼動作制御部６０３が、現在ＬＣＤ１１ａに表示されているクイックダイヤル情報に基づき発呼動作を行い（ステップ５０２）、この発呼動作により相手先と接続後、通話動作に移行する（ステップ５０３）。
【００４９】
図６は、上記クイックダイヤル発呼時におけるＬＣＤ１１ａ上での情報表示態様の遷移を示す図である。同図に示すように、待ち受け状態（表示６１）からＰ１キーを押下することにより、当該Ｐ１キーに対応して登録されているクイックダイヤル１が読み出されて表示される（表示６２）。この後、通話キー１０ａを押下すると、当該クイックダイヤル１に基づき発呼がなされ、これと同時に当該発呼動作を示す状態表示（表示６３）がなされる。この発呼に対して相手先が応答した後、通話に移行し、その状態表示（表示６４）が行われる。なお、この例では、Ｐ１キー押下後、クイックダイヤル１の登録が無い場合、登録無しを示すメッセージが表示（表示６５）され、２秒経過後、待ち受けを示す状態表示（表示６６）がなされる。待ち受け状態からＰ２キーあるいはＰ３キーを押下した場合も上記と同様の表示制御で遷移する。
【００５０】
このように、本実施の形態の移動局ＰＳでは、クイック・ダイヤル・キーＰ１，Ｐ２，Ｐ３のいずれかが押下されると、その押下時間が予め設定された時間（この例では、２秒）より短いことを条件に、クイック・ダイヤル・キーＰ１，Ｐ２，Ｐ３のうちの当該押下されたキーに対応して登録されているクイックダイヤル情報に基づき発呼動作が行われる。つまり、これら各クイック・ダイヤル・キーＰ１，Ｐ２，Ｐ３は、例えば２秒という時間を超えない範囲の短押しによって本来のクイック・ダイヤル・キーとして機能する。
【００５１】
次に、動作モード設定制御部６０２により設定されたモードのうち、電話帳検索モードの処理動作について図７に示すフローチャートを参照して説明する。上記クイックキーＰ１，Ｐ２，Ｐ３のいずれかの押下により電話帳検索モードが設定された場合（図４におけるステップ４０８）、制御部６内の検索動作制御部６０４は、まず、メモリ部１２内の電話帳登録テーブル１２ｂ〔図３（ｂ）参照〕に登録されている電話帳を検索対象として特定した後、行検索カウンタｎを初期化する（ステップ７０１）。
【００５２】
引き続き、キー操作態様検出部６０１は、操作部１０においてキーが押下されたか否かを監視する（ステップ７０２）。ここで、キーが押されたことが認識された場合（ステップ７０２ＹＥＳ）、キー操作態様検出部６０１は、その押下されたキーがクイック・ダイヤル・キーＰ１，Ｐ２，Ｐ３のうちのＰ１キーであるか、Ｐ２キーであるか、Ｐ３キーであるかを判定する（ステップ７０３、ステップ７１０、ステップ７２０）。
【００５３】
押下されたキーがＰ１キーである時（ステップ７０３ＹＥＳ）、検索動作制御部６０４は、上記電話帳登録テーブル１２ｂにアクセスし、該電話帳登録テーブル１２ｂ内の上記行検索カウンタｎの値に対応する行（ア行乃至ワ行のいずれか）に属する登録項目（電話番号）を１項目づつ順方向に検索し（ステップ７０４）、該検索された電話番号を上記電話帳登録テーブル１２ｂから読み出してＬＣＤ１１ａに表示する（ステップ７０５）。
【００５４】
その後、キー操作態様検出部６０１は、操作部１０における各種機能キーの中の通話キー１０ａが押下されたか否かを監視する（ステップ７０６）。ここで、通話キー１０ａが押下されない場合（ステップ７０６ＮＯ）、ステップ７０２以降の処理に戻り、次のクイック・ダイヤル・キーＰ１，Ｐ２，Ｐ３の押下の監視を続行する。そして、クイック・ダイヤル・キーＰ１，Ｐ２，Ｐ３のうち、Ｐ１キーが押下される毎に、上記電話帳登録テーブル１２ｂ内の電話番号を上述した方法により１項目づつ順検索し、これをＬＣＤ１１ａに表示し、確認しながら検索を続けていく。
【００５５】
この間、例えば、Ｐ３キーが押下された場合（ステップ７１０ＹＥＳ）、検索動作制御部６０４は、それまで電話帳登録テーブル１２ｂ内の登録項目（電話番号）を１項目づつ順検索していたものを、これ以降、該電話帳登録テーブル１２ｂ内の上記行検索カウンタｎの値に対応する行（ア行乃至ワ行のいずれか）に属する登録項目（電話番号）をＰ１キー押下時とは逆の順番に１項目づつ検索し（ステップ７１１）、該検索された電話番号を電話帳登録テーブル１２ｂから読み出してＬＣＤ１１ａに表示する（ステップ７０５）。
【００５６】
一方、上記キー押下監視中に、Ｐ２キーが押下された場合（ステップ７２０ＹＥＳ）、検索動作制御部６０４は、それまで行検索カウンタｎの値に対応する行（ア行乃至ワ行のいずれか）に属する各登録項目（電話番号）を１項目づつ検索していたものを、これ以降、例えばア行からカ行へというように、行飛ばしに検索する。
【００５７】
具体的に、検索動作制御部６０４は、上記Ｐ２キーが押下されることにより、行検索カウンタｎに「１」を加算し（ステップ７２１）、次いで、当該行検索カウンタｎの値が「１０」以上であるか否かを判断する（ステップ７２２）。ここで、行検索カウンタｎの値が「１０」以上であれば（ステップ７２２ＹＥＳ）、行検索カウンタｎの値を「１」に変更する（ステップ７２３）。
【００５８】
これに対し、行検索カウンタｎの値が「１０」より小さい場合（ステップ７２２ＮＯ）、まず、行検索管理テーブル１２ｃ〔図３（ｃ）参照〕を参照し、この時の行検索カウンタｎの値例えば（ｎ＝３）に対応する「サ行」を特定し、電話帳登録テーブル１２ｂ内におけるサ行の先頭の電話番号を検索し（ステップ７２４）、該検索された電話番号を上記電話帳登録テーブル１２ｂから読み出してＬＣＤ１１ａに表示する（ステップ７０５）。
【００５９】
上記ステップ７２０〜ステップ７２４の処理により、例えば、上記Ｐ１キーまたはＰ３キーを用いた１項目ずつの順検索（ステップ７０４）または逆検索（ステップ７１１）により、電話帳登録テーブル１２ｂ内のア行に属する「アカギ」の電話番号の検索後に、Ｐ２キーが押下された場合、ア行から１行だけ飛ばしたカ行の先頭の「カトウ」の電話番号の検索に移行する。また、このＰ２キーの操作により上述した行検索を続けていき、ワ行の「ワダ」の電話番号の検索後に、更にＰ２キーが押下されると、行検索カウンタｎが（ｎ＝１０）となって（ｎ＝１）にインクリメントされる（ステップ７２３）ことにより、１行目のア行の先頭の「アオヤマ」の電話番号の検索がなされる。
【００６０】
上述の如くの、クイック・ダイヤル・キーＰ１，Ｐ２，Ｐ３による順検索、逆順検索あるいは行検索の後、キー操作態様検出部６０１にて通話キー１０ａが押下された場合（ステップ７０６ＹＥＳ）、制御部６内の発呼動作制御部６０３は、上記電話帳の検索結果として現在ＬＣＤ１１ａに表示されている電話番号に基づき発呼動作を行い（ステップ７０７）、相手先と接続後、通話動作に移行する（ステップ７０８）。
【００６１】
図８は、上記電話帳検索時におけるＬＣＤ１１ａ上での情報表示態様の遷移を示す図である。同図に示すように、待ち受け状態（表示８１）においてＰ１キーが長押しされることにより、電話帳検索モードに移行し、電話帳（電話帳登録テーブル１２ｂ）に登録されているいずれかの電話番号が読み出されて表示（表示８２）される。この後、続けてＰ１キーを押下すると、上記電話帳内の電話番号がアイウエオの名前順に１項目づつ検索されて表示（表示８３，８４）される。また、この検索途中でＰ３キーを押下すると、上記電話帳内の電話番号が上記Ｐ１押下時とは逆の順番で１項目づつ検索されて表示（表示８５）される。更に、その状態から、Ｐ２キーを押下すると、その直前までなされていた例えばカ行の電話番号の検索から１行飛ばしたサ行の先頭の電話番号の検索へと移行し、これにより検索された電話番号が表示（表示８６）される。待ち受け状態からＰ２キーあるいはＰ３キーが長押しされた場合も、電話帳検索モードに移り、上述と同様の表示制御で遷移する。また、電話帳には１つの名称に対して２つの電話番号（例えば、自宅の電話番号とＰＨＳの電話番号）を登録することが可能であり、２つの電話番号が記憶されている場合は、所定キーの押下により上記２つの番号の表示切り換えが可能となる（表示８９）。
【００６２】
次に、Ｐ２キーを用いた高速検索の変形例について図９に示すフローチャートを参照して説明する。上記実施の形態では、電話帳内の電話番号をア行乃至ワ行のインデックス情報に関係付けて捕らえ、Ｐ１キーまたはＰ３キーのキー操作に応じ、上記各インデックス情報に対応する行に属する各電話番号を例えばアイウエオ順またはその逆順に１項目ずつ検索すると共に、Ｐ２キーが操作される毎に、現在検索中のインデックス情報の前若しくは後のインデックス情報の先頭行の電話番号に飛んでその電話番号を検索する行単位検索の例について述べたが、この変形例では、電話帳に登録された電話番号をその登録番号に関係付けて捕らえ、Ｐ１キーまたはＰ３キーのキー操作に応じ、電話帳内の各電話番号を例えば登録番号順またはその逆順に１項目ずつ検索すると共に、Ｐ２キーが操作される毎に、予め設定された登録番号数（Ｎ）だけ先の登録番号まで飛び、この飛んだ先の電話番号を検索するＮ番号単位検索を行うものである。
【００６３】
この変形例に係わる移動局ＰＳにおいて、クイックキーＰ１，Ｐ２，Ｐ３のいずれかの押下により電話帳検索モードが設定された場合（図４におけるステップ４０８）、制御部６内の検索動作制御部６０４は、まず、メモリ部１２内の電話帳登録テーブル１２ｂ〔図３（ｂ）参照〕に登録されている電話帳を検索対象として特定した後、飛番検索カウンタｎ（図示せず）を初期化する（ステップ９０１）。
【００６４】
引き続き、キー操作態様検出部６０１は、操作部１０においてキーが押下されたか否かを監視する（ステップ９０２）。ここで、キーが押されたことが認識された場合（ステップ９０２ＹＥＳ）、キー操作態様検出部６０１は、その押下されたキーがクイック・ダイヤル・キーＰ１，Ｐ２，Ｐ３のうちのＰ１キーであるか、Ｐ２キーであるか、Ｐ３キーであるかを判定する（ステップ９０３、ステップ９１０、ステップ９２０）。
【００６５】
押下されたキーがＰ１キーである時（ステップ９０３ＹＥＳ）、検索動作制御部６０４は、電話帳登録テーブル１２ｂにアクセスし、該電話帳登録テーブル１２ｂ内の上記飛番検索カウンタｎのカウント値ｎに対応する飛ばし登録番号数（Ｎ）の範囲に属する登録項目（電話番号）を１項目づつ登録番号順に検索し（ステップ９０４）、該検索された電話番号を上記電話帳登録テーブル１２ｂから読み出してＬＣＤ１１ａに表示する（ステップ９０５）。
【００６６】
その後、キー操作態様検出部６０１は、操作部１０における各種機能キーの中の通話キー１０ａが押下されたか否かを監視する（ステップ９０６）。ここで、通話キー１０ａが押下されない場合（ステップ９０６ＮＯ）、ステップ９０２以降の処理に戻り、次のクイック・ダイヤル・キーＰ１，Ｐ２，Ｐ３の押下の監視を続行する。そして、クイック・ダイヤル・キーＰ１，Ｐ２，Ｐ３のうち、Ｐ１キーが押下される毎に、上記電話帳登録テーブル１２ｂ内の電話番号を上述した方法により１項目づつ登録番号順に検索し、これをＬＣＤ１１ａに表示し、確認しながら検索を続けていく。
【００６７】
この間、例えば、Ｐ３キーが押下された場合（ステップ９１０ＹＥＳ）、検索動作制御部６０４は、上記電話帳登録テーブル１２ｂ内の電話番号をそれまで登録番号順に検索していたものを、これ以降、該電話帳登録テーブル１２ｂ内の上記飛番検索カウンタｎのカウント値ｎに対応する飛ばし登録番号数（Ｎ）の範囲に属する登録項目（電話番号）をＰ１キー押下時とは逆の順番に１項目づつ検索し（ステップ９１１）、該検索された電話番号を電話帳登録テーブル１２ｂから読み出してＬＣＤ１１ａに表示する（ステップ９０５）。
【００６８】
一方、上記キー押下監視中に、Ｐ２キーが押下された場合（ステップ９２０ＹＥＳ）、検索動作制御部６０４は、それまで上記飛番検索カウンタｎのカウント値ｎに対応する飛ばし登録番号数（Ｎ）の範囲に属する各登録項目（電話番号）を１項目づつ登録番号順またはその逆順に検索していたものを、これ以降、例えば登録番号２０番から登録番号３０番へというように、予め設定された飛ばし登録番号数（Ｎ）分だけ先の登録番号に対応する電話番号の検索を行う。
【００６９】
具体的に、検索動作制御部６０４は、Ｐ２キーが押下されることにより、飛番検索カウンタｎに「１」を加算し（ステップ９２１）、次いで、該飛番検索カウンタｎの値が「２０」以上であるか否かを判断する（ステップ９２２）。ここで、飛番検索カウンタｎの値が「２０」以上であれば（ステップ９２２ＹＥＳ）、該飛番検索カウンタｎの値を「ｎ＝１」に変更する（ステップ９２３）。
【００７０】
これに対し、飛番検索カウンタｎの値が「２０」より小さい場合（ステップ９２２ＮＯ）、〔（ｎ×１０）＋１〕を算出し、電話帳登録テーブル１２ｂの中の当該算出値に相当する登録番号に対応して登録された電話番号を検索し（ステップ９２４）、該検索された電話番号を電話帳登録テーブル１２ｂから読み出してＬＣＤ１１ａに表示する（ステップ９０５）。
【００７１】
上記ステップ９２０〜ステップ９２４の処理により、例えば、Ｐ１キーまたはＰ３キーを用いた１項目ずつの登録番号順検索（ステップ９０４）または登録番号逆順検索（ステップ９１１）により、電話帳登録テーブル１２ｂ内の登録番号「３」番における「カトウ」の電話番号の検索後に、Ｐ２キーが押下された場合、この時の飛番検索カウンタｎの値（ｎ＝１）を基に算出された〔（１×１０）＋１＝１１〕番の登録番号に対して登録される相手先の電話番号の検索へと移行する。また、このＰ２キーの操作により上述した飛び番号数「１０」番ずつの番号飛ばし検索を続けていき、当該Ｐ２キーを１９回操作した後の、〔（１９×１０）＋１＝１９１〕番以降の登録番号に対応する電話番号を検索中に、更にＰ２キーが押下されると、飛番検索カウンタｎが（ｎ＝２０）となって（ｎ＝０）にインクリメントされる（ステップ９２３）ことにより、〔（ｎ×１０）＋１＝１〕番、つまり電話帳登録テーブル１２ｂの先頭の「アオヤマ」の電話番号の検索がなされる。
【００７２】
上述の如くの、クイック・ダイヤル・キーＰ１，Ｐ２，Ｐ３による登録番号順検索、登録番号逆順検索あるいは登録番号数（Ｎ）番単位の飛ばし検索の後、キー操作態様検出部６０１にて通話キー１０ａが押下された場合（ステップ９０６ＹＥＳ）、制御部６内の発呼動作制御部６０３は、上記電話帳の検索結果として現在ＬＣＤ１１ａに表示されている電話番号に基づき発呼動作を行い（ステップ９０７）、相手先と接続後、通話動作に移行する（ステップ９０８）。
【００７３】
上述の如く、クイック・ダイヤル・キーＰ１，Ｐ２，Ｐ３は、例えば２秒という時間を超えない範囲の短押しによって本来のクイック・ダイヤル・キーとして機能する他、２秒を超える時間の長押しにより、電話帳検索モードを開始させるキーとしての機能も兼ねている。そして、この電話帳検索モードでは、例えば、Ｐ１キーは順検索キーとして用い、Ｐ３キーは逆順検索キーとして用い、更にＰ２キーは複数項目飛ばし検索キーとして用いることができる。
【００７４】
上記Ｐ２相当の高速検索キーを備えることによって、従来、１項目ずつしか検索が行えなかったものが、複数項目づつ飛ばして検索できるようになり、例えば２００名などといった膨大な数の電話番号を登録した電話帳であっても、上記高速検索によって極めて迅速に目的とする相手先の電話番号に表示できる。
【００７５】
更に、本発明では上記検索された電話番号を表示中に、通話キー１０ａを押下することにより当該電話番号を用いて直ちに発呼できる機能がサポートされているか、上述した電話帳の高速検索は、発呼時におけるキー操作性の改善あるいは発呼操作時間の短縮にも貢献できる。
【００７６】
なお、上記実施の形態では、クイック・ダイヤル・キーＰ１，Ｐ２，Ｐ３の押下時間に応じてクイックダイヤル発呼モードか電話帳検索モードを設定する例を示したが、例えば、上記各キーの押下回数を監視し、１回押されたか複数回押下されたかに応じて上記各動作モードを設定するようにしても良い。
【００７７】
また、検索対象としては電話帳を例にあげているが、各種の情報項目を登録した情報項目登録手段全般の検索に適用できる。
【００７８】
また、図７に示す高速検索及びその変形例（図９）のいずれにおいても、登録可能な電話番号数や飛ばし検索する行数あるいは登録番号数（Ｎ）等はそれぞれ任意に設定可能であり、またその飛ばし方向も正逆両方に可能となるように構成できる。更に、図９に示す変形例においては、飛ばし検索用のＰ２キーの操作回数ｎに応じて例えば〔（ｎ×１０）＋１〕番の登録番号に飛ぶようにしたため、飛ぶ先の登録番号が固定される（１１番、２１番、…）ことになるが、必要があれば、現時点で検索中の登録番号から〔（ｎ×１０）＋１〕番先の登録番号に飛ぶように変形することもできる。また、本発明はＰＨＳに限定されるものではなく、他の移動無線端末、例えばＰＤＣ（Ｐｅｒｓｏｎａｌ  Ｄｉｇｉｔａｌ  Ｃｅｌｌｕｌａｒ）やページャ（Ｐａｇｅｒ）などにも適用できることは言うまでもない。
【産業上の利用可能性】
【００７９】
本発明は、ＰＨＳ移動端末、ＰＤＣ及びページャ等の移動無線端末における情報登録部に登録された複数の情報項目の高速検索に適用できる。
【図面の簡単な説明】
【００８０】
【図１】本発明に係わるＰＨＳの移動局の一実施の形態を示すブロック図。
【図２】本実施の形態に係わる移動局の外観構成を示す概略図。
【図３】本実施の形態に係わる移動局の制御情報の登録形態の一例を示す図。
【図４】本実施の形態に係わる移動局のキー入力受付処理動作を示すフローチャート。
【図５】図４におけるクイックダイヤル発呼モードの処理動作を示すフローチャート。
【図６】図５におけるクイックダイヤル発呼モードでの情報表示態様の遷移図。
【図７】図４における電話帳検索モードの処理動作を示すフローチャート。
【図８】図７における電話帳検索モードでの情報表示態様の遷移図。
【図９】本発明の変形例での電話帳検索処理動作を示すフローチャート。
【符号の説明】
【００８１】
１００  移動局（ＰＳ）
１００ａ  移動局本体部
１００ｂ  フリッパ
１  アンテナ
２  無線部
２０１  スイッチ（ＳＷ）
２０２  受信部
２０３  送信部
２０４  シンセサイザ
２０５  発信器
３  モデム部
３０１  復調部
３０２  変調部
４  ＴＤＭＡ部
４０１  ＴＤＭＡデコード部
４０２  ＴＤＭＡエンコード部
５  通話部
５０１  ＡＤＰＣＭトランスコーダ
５０２  ＰＣＭコーディック
６  制御部
６０１  キー操作態様検出部
６０２  動作モード設定制御部
６０３  発呼動作制御部
６０４  検索動作制御部
７  マイクロフォン
８  スピーカ
９  サウンダ
１０  操作部
１０ａ  通話キー
１０ｂ  リダイヤルキー
１０ｃ  終話キー
１０ｄ  クイック・ダイヤル・キーＰ１
１０ｅ  クイック・ダイヤル・キーＰ２
１０ｆ  クイック・ダイヤル・キーＰ３
１１  表示部
１１ａ  ＬＣＤ（液晶表示器）
１２  メモリ部
１２ａ  キー情報対応テーブル
１２ｂ，１２ｄ  電話帳登録テーブル
１２ｃ  行検索管理テーブル
１３  振動部
【図１】
0004837069.tif 000002
【図２】
0004837069.tif 000003
【図３】
0004837069.tif 000004
【図４】
0004837069.tif 000005
【図５】
0004837069.tif 000006
【図６】
0004837069.tif 000007
【図７】
0004837069.tif 000008
【図８】
0004837069.tif 000009
【図９】
0004837069.tif 000010